(57)【特許請求の範囲】
【請求項１】
光ファイバー構造にランニングライト効果を生成するための方法であって、前記光ファイバー構造は少なくとも１つの光ファイバーを備え、及び少なくとも２つの光供給ポジションを備え、前記光供給ポジションにはそれぞれ１つの光源が割り当てられており、前記光ファイバーが供給光の案内のために及び前記光ファイバーに形成された干渉箇所によって光を放射するために配設されている方法において、
前記光源の明度が互いに独立して、あらかじめ設定された調光曲線に従い、時間に応じて変えられること、
第一の光源の明度が第一の上昇調光傾斜線に従って第一の最大値まで高められ、第一の決められた期間前記第一の最大値に保たれ、次に第一の下降調光傾斜線に従って第一の最小値まで低減され、及び、第二の光源の明度が第二の上昇調光傾斜線に従って第二の最大値まで高められ、第二の決められた期間前記第二の最大値に保たれ、次に第二の下降調光傾斜線に従って第二の最小値まで低減されること、
前記第二の上昇調光傾斜線の開始点が、前記第一の上昇調光傾斜線の開始点よりもスタート遅延時間の分だけ時間的に遅れており、及び前記第二の下降調光傾斜線の開始時間が前記第一の下降調光傾斜線の開始点よりもストップ遅延時間の分だけ時間的に遅れていること、及び
前記第二の上昇調光傾斜線の開始点が前記第一の上昇調光傾斜線の期間内にあることを特徴とする、方法。
【請求項２】
請求項１に記載の方法であって、前記第二の光源の第二の最大値が、前記第一の光源の第一の下降調光傾斜線の終わりまで持続することを特徴とする、方法。
【請求項３】
請求項１または２に記載の方法であって、前記光源が光を異なった色で放射することを特徴とする、方法。
【請求項４】
少なくとも１つの光ファイバー（２、２’；１１、１２；２１ａ〜ｅ）を備え及び少なくとも２つの光供給ポジション（Ａ〜Ｅ）を備えた光ファイバー構造（１）であって、前記光供給ポジションにそれぞれ１つの光源（３、３’；４、４’、４”；２２ａ〜ｅ）が割り当てられており、前記光ファイバーが供給光の案内のために及び光ファイバーに形成された干渉箇所（６）によって光を放射するために配設されている光ファイバー構造において、
前記光源（３、３’；４、４’、４”；２２ａ〜ｅ）に制御回路（９）が割り当てられ、前記制御回路が、光源の明度をあらかじめ設定可能な調光曲線に従って時間に応じて制御するために配設されており、
第一の光源の明度が第一の上昇調光傾斜線に従って第一の最大値まで高められ、第一の決められた期間前記第一の最大値に保たれ、次に第一の下降調光傾斜線に従って第一の最小値まで低減され、及び、第二の光源の明度が第二の上昇調光傾斜線に従って第二の最大値まで高められ、第二の決められた期間前記第二の最大値に保たれ、次に第二の下降調光傾斜線に従って第二の最小値まで低減されること、
前記第二の上昇調光傾斜線の開始点が、前記第一の上昇調光傾斜線の開始点よりもスタート遅延時間の分だけ時間的に遅れており、及び前記第二の下降調光傾斜線の開始時間が前記第一の下降調光傾斜線の開始点よりもストップ遅延時間の分だけ時間的に遅れていること、
前記第二の上昇調光傾斜線の開始点が前記第一の上昇調光傾斜線の期間内にあること、及び
ランニングライト効果を生成することを特徴とする、光ファイバー構造。
【請求項５】
請求項４に記載の光ファイバー構造（１）であって、前記制御回路（９）があらかじめ定められた持続時間の基本パルスを生成するためのパルス発生器（１５）を有していることを特徴とする、光ファイバー構造。
【請求項６】
請求項５に記載の光ファイバー構造（１）であって、前記パルス発生器（１５）の出力が、上昇及び下降調光傾斜線に対応した第一の制御パルスを生成するために第一のパルス整形器（１６）へ送られる光ファイバー構造において、
前記パルス整形器（１５）の出力がさらに、前記基本パルスの上昇遅延及び／又は下降遅延を形成するための遅延モジュール（１７）に送られ、
前記遅延モジュール（１７）で形成された、遅延した上昇プロファイル又は下降プロファイルを備えたパルスが、遅延し、かつ上昇及び下降調光傾斜線に対応した第二の制御パルスを生成するための、少なくとも１つの第二のパルス整形器（１８）に送られること、及び
前記第一のパルス整形器（１６）及び前記少なくとも１つの第二のパルス整形器（１８）の出力が、それぞれ、光源（３；４；２２ａ〜ｅ）のための少なくとも１つの制御モジュール（１９）及びドライバモジュール（２０）に送られることを特徴とする、光ファイバー構造。
【請求項７】
請求項４〜６のうちのいずれか一項に記載の光ファイバー構造（１）であって、前記光ファイバー（２；１２；２１ａ〜ｅ）が曲げられていることを特徴とする、光ファイバー構造。
【請求項８】
請求項４〜７のうちのいずれか一項に記載の光ファイバー構造（１）であって、前記光ファイバー構造が、平行に伸びかつ一体的に形成された２本の光ファイバー（２、２’）を有していることを特徴とする、光ファイバー構造。
【請求項９】
請求項４〜８のうちのいずれか一項に記載の光ファイバー構造（１）であって、前記光ファイバー構造が一方の端部で合流する２本の光ファイバー（１１、１２）を有し、前記一方の端部には共通の第一の光源（３）のための光供給ポジション（Ａ）が備えられ、他方の端部には、それぞれ第二の光源（４）及び第三の光源（４”）のための第二の光供給ポジション（Ｂ）及び第三の光供給ポジション（Ｃ）が備られていることを特徴とする、光ファイバー構造。
【請求項１０】
請求項４〜７のうちのいずれか一項に記載の光ファイバー構造（１）であって、前記光ファイバー構造が少なくとも２本の光ファイバー（２１ａ〜ｅ）を有し、前記光ファイバー（２１ａ〜ｅ）の各々は、一方の端部の光供給ポジション（Ａ〜Ｅ）のところに光源（２２ａ〜ｅ）が割り当てられ、かつ、１つの照明セクション（２５ａ〜ｅ）を有しており、さらに、前記照明セクション（２５ａ〜ｅ）は互いに接続されて実質的に連続した照明構造を形成していることを特徴とする、光ファイバー構造。
【請求項１１】
請求項１０に記載の光ファイバー構造（１）であって、前記光供給ポジション（Ａ〜Ｅ）から始まった光ファイバーセクション（２３ａ〜ｅ）がアングル部（２４ａ〜ｅ）を経由して前記照明セクション（２５ａ〜ｅ）へ伸びることを特徴とする、光ファイバー構造。
【発明の詳細な説明】
【技術分野】
【０００１】
本発明は光ファイバー構造にランニングライト効果を生成するための方法に関し、この光ファイバー構造は少なくとも１つの光ファイバーを備え及び少なくとも２つの光供給ポジションを備え、この光供給ポジションにはそれぞれ１つの光源が割り当てられており、その際光ファイバーが、供給光の案内のために及び光ファイバーに形成された干渉箇所によって光を放射するために、配設されている。
【０００２】
さらに本発明は、少なくとも１つの光ファイバーを備え及び少なくとも２つの光供給ポジションを備えた光ファイバー構造に関し、この光供給ポジションにはそれぞれ１つの光源が割り当てられており、その際光ファイバーが、供給光の案内のために及び光ファイバーに形成された干渉箇所によって光を放射するために配設されている。
【０００３】
照明ロッドは自動車製造における使用が増加している。この場合光は例えば発光ダイオードから、照明ロッドの前面へ供給される。光は、たいていの場合円形の、場合により他の、例えば楕円形又は長方形の断面を備えた境界壁を有する光ファイバーに内部で完全に反射されるが、例えばプリズム状に形成された干渉箇所では光が屈折され及び実質的に干渉箇所の反対側に放射される。照明ロッドの形状の決定は、自動車製造においてはデザイン規準によって大きく影響され、所望の輪郭がもはや１つの照明ロッドだけでは実現不可能であり、多くの場合に照明ロッドを２つの枝に分ける必要がある。照明ロッドを提示した多くの文書の中から、特許文献１及び特許文献２を挙げたい。
【０００４】
冒頭に挙げられた種類の光ファイバー構造は特許文献３で公知である。この文書の対象物は棒状の光ファイバーであり、この光ファイバーでは長さ全体で均一な輝度を得るために、干渉箇所として備えられた光屈折プリズムがロッド軸に対して横向きに幅を備え、この幅は光カップリング面から出て大きくなる。ここでは１つの実施形態も記述されており、光ファイバーの両端に１つの光カップリング面があり、これにそれに対応して２つの光源が備えられている。
【先行技術文献】
【特許文献】
【０００５】
【特許文献１】独国特許出願公開第１０３５６４８３Ａ１号明細書
【特許文献２】独国特許出願公開第１０１５３５４３Ａ１号明細書
【特許文献３】欧州特許出願公開第０９３５０９１Ａ１号明細書
【発明の概要】
【発明が解決しようとする課題】
【０００６】
本発明の課題は、ランニングライト効果を生成する方法、及びこの方法を実施するために、多数の制御光源を使用することなしにランニングライト効果を生成する適切な光ファイバー構造を作り出すことである。ランニングライト効果は現在複数の相前後して連続する、白熱電球やＬＥＤのような制御光源によって実現されており、このことは、この種類の構造の製造と整備を高価なものにしている。
【課題を解決するための手段】
【０００７】
この課題は、冒頭に挙げた種類の方法によって解決される。この方法では発明に従い、光源の明度が互いに独立して、あらかじめ設定された規則に従って時間に応じて変化する。
【０００８】
有利な一実施形態では、第一の光源の明度が最大値から始まって、第一の下降調光傾斜線に従って低減され、及び第二の光源の明度が最大値から始まって、第二の下降調光傾斜線に従って低減され、その際に第二の光源の明度の低減が、第一の光源の明度の低減の開始時点よりも時間的に遅れて開始される。このことによって、光が光ロッドの一方の端からもう一方の端に流れる印象が呼び起こされる。
【０００９】
別の、目的に合わせたワイピング効果を可能にする実施形態では、第一の光源の明度が第一の上昇調光傾斜線に従って最大値まで高められ、第一の決められた期間この値に保たれ、さらに第一の下降調光傾斜線に従って最小値まで低減され、及び第二の光源の明度が第二の上昇調光傾斜線に従って最大値まで高められ、第二の決められた期間この値に保たれ、及び次に第二の下降調光傾斜線に従って最小値まで低減され、その際に第二の上昇調光傾斜線の開始点が、第一の上昇調光傾斜線の開始点よりもスタート遅延時間の分だけ時間的に遅れており、及び第二の下降する調光傾斜線の開始点が、第一の下降する調光傾斜線の開始点よりもストップ遅延時間の分だけ時間的に遅れている。
【００１０】
さらに、第二の上昇調光傾斜線の開始点が第一の上昇調光傾斜線にあることも得策であり得る。
【００１１】
また第二の光源の最大値が、第一の光源の第一の下降調光傾斜線の終わりまで持続可能である。
【００１２】
光源が異なった色の光を放射する場合、追加的に色移行効果が得られる。
【００１３】
本課題はさらに、上述の種類の光ファイバー構造によって解決される。この光ファイバー構造では本発明に従い、光源に制御回路が割り当てられ、この制御回路が、光源の明度をあらかじめ設定可能な調光曲線に従って時間に応じて制御するために配設されている。
【００１４】
目的に合わせた実施形態では、あらかじめ決められた持続時間の基本パルスを生成するための制御回路がパルス発生器である。
【００１５】
ここでは有利には、パルス発生器の出力が上昇及び下降調光傾斜線によって第一の制御パルスを生成するための第一のパルス整形器に送られ、パルス整形器の出力がさらに基本パルスの上昇遅延及び／又は下降遅延を形成するための遅延段階に送られ、この遅延段階で形成された、遅延した上昇プロファイル又は下降プロファイルを備えたパルスが、相応して遅延する上昇及び下降調光傾斜線によって、第二の制御パルスを生成するための第二のパルス整形器に送られ、及び第一の及び第二のパルス整形器の出力がそれぞれ少なくとも１つの、第一の又は第二の光源のための制御段階及びドライバ段階に送られる。
【００１６】
しばしば好都合な変形形態では、光ファイバーが曲げられている。
【００１７】
光ファイバー構造が２つの光ファイバーを有し、これらの光ファイバーが平行に伸び及び一体的に形成されていると、好都合であり得る。
【００１８】
別の推奨するべき変形例では、光ファイバー構造が２つの光ファイバーを有し、これらの光ファイバーが端部で合流して一本になり、及びこの端部に、第一の共通の光源のための光供給ポジションを、及びその他方の端部に、第二の及び第三の光源が第二の及び第三の光供給ポジションを備えている。
【００１９】
また、別の実際的な一変形例では、光ファイバー構造が少なくとも２つの光ファイバーを有し、各光ファイバーがその一方の端部で光供給ポジションのところに光源が割り当てられており、各光ファイバーが１つの照明セクションを有しており、及びこの照明セクションが実質的に連続した照明構造を形成しながら互いに接続されている。その際に光供給ポジションから出た光ファイバーセクションがアングル部を経由して照明セクションに案内されると有利である。なぜならこのことによって供給ポジションが光出口から離れて配置され得るからである。
【００２０】
本発明は以下では、図に具体的に示された、例としての実施形態を使用して詳しく説明される。
【図面の簡単な説明】
【００２１】
【図１】本発明による光ファイバー構造の第一の実施形態の図である。
【図２】本発明による光ファイバー構造の第二の実施形態の図である。
【図３】本発明による光ファイバー構造の第三の実施形態の図である。
【図４】本発明による光ファイバー構造の第四の実施形態の図である。
【図５】本発明で使用される光ファイバーの断片の図である。
【図６】本発明で使用される２つの光源の、第一の例としての明度制御の時間的経過の図である。
【図７】本発明で使用される２つの光源の、第二の例としての明度制御の時間的経過の図である。
【図８】本発明で使用される２つの光源の、第三の例としての明度制御の時間的経過の図である。
【図９】本発明で使用される２つの光源の、第四の例としての明度制御の時間的経過の図である。
【図１０】本発明に従った光ファイバー構造の、例としての制御回路のブロック線図である。
【図１１】本発明による光ファイバー構造の第五の実施形態の図である。
【発明を実施するための形態】
【００２２】
図１〜図５では、まずいくつかの例としての光ファイバー構造及びそこで使用される光ファイバーについて記述される。
【００２３】
図１の構造１は、軽く曲げられた光ファイバー２を示している。この光ファイバーはその両端のそれぞれ１つの光供給ポジションＡ又はＢに１つの光源３又は４を有し、光は入光面５、６から照射され得る。２つの光源３、４はそれぞれ、供給ケーブル７、８を介して制御回路９から電源供給される。光源として好ましくはＬＥＤが考えられるが、他の光源、例えば白熱電球、キセノンランプ等を使用してもよい。
【００２４】
図２は、ダブルロッドとして形成され及び２つの光ファイバー２、２’を有する光ファイバー構造１を示しており、これらの光ファイバーは一体的に形成されている。ここでも各光ファイバー２、２’は入光面５、５’；６、６’を備えており、この入光面に光源３、３’；４、４’が照射可能である。制御回路は、供給ケーブル７、７’；８、８’を介して上述の光源３、３’；４、４’に電源を供給する。図２では、各光ファイバーが干渉箇所１０からなる構造を有していることも確認でき、ここではこの干渉箇所が一般にプリズムとして又はプリズムに類似して形成されている。
【００２５】
図３の光ファイバー構造１は、両方の光ファイバー２、２’が一体的にではなく互いに分離して形成されているという点で図２のそれと異なっている。
【００２６】
図４は、照明技術的に見て、２つの互いに分離した光ファイバー１１、１２からなる、別の光ファイバー構造１を示しており、ここでは光ファイバー１１が直線に形成され及び第二の光ファイバー１２が曲げられている。機械的に見て光ファイバー構造１は一体的であり、２つの光ファイバー１１、１２が出会う場所に第一の光供給ポジションＡを、及び２つの光ファイバー１１、１２の端部にそれぞれ１つの別の光供給ポジションＢ及びＣを備えている。ここで詳細には記載されていない光源の制御は、やはり制御回路９によって行われる。
【００２７】
図５は、干渉箇所１０からなる構造がはっきりとわかる光ファイバー２の断片拡大図である。ここでは構造のプリズム６がそれぞれ２つの光側面、すなわち各光側面１３及び光側面１４を有している。これによって、光ファイバー２の両側面に供給された光は実際に、構造１０の実質的に反対側にある、光ファイバー２の側面に放射されることが可能になる。
【００２８】
図６では、示された光ファイバー構造と組み合わせてランニングライト効果を生成するための、本発明による方法の第一の例について説明される。図６の線図は、ポジションＡにおける第一の光源の強度変化、及びその下にある線図はポジションＢにおける第二の光源の強度変化であり、ここではこれらポジションＡ及びＢは例えば図１に示されたものに相当する。時間ｔ１から制御回路９が第一の光源に、ここでは直線の調光傾斜線に従って電源供給を開始する。つまり、強度Ｉが時点ｔ２まで上昇する。この時点ｔ２まで、ここではやはり直線の調光傾斜線の、ポジションＢの第二の光源が電源供給される。時間ｔ３まで、ここではポジションＡの第一の光源が再び調光傾斜線に従って引き続き電源供給されるが、その勾配は時間ｔ１からｔ２の間よりも小さい。時点ｔ３に開始し、時点ｔ４までポジションＡの第一の光源が軽く降下される。これは時間ｔ３とｔ４との間で低下する短い傾斜で確認できる。ポジションＢの第二の光源は、ｔ２からｔ４までの時間全体にわたって引き続きここでは直線の調光傾斜線に従って、最終的に２つの光源がポジションＡ及びＢで最大強度に発光する時点まで、ここではパワーオフ時点ｔ５まで、上昇調光される。ｔｕｅでオーバーラップ時間、つまり２つの光源があらかじめ設定された調光曲線に従って光を放出する時間が示される。当然ながら２つの光源は必ずしも最大強度で発光しなければならないことはなく、ワイピング効果を強化するために、むしろ１つ又は２つの光源が最高０％まで下げ調光されることが可能である。
【００２９】
ポジションＡの光源を上げ調光する時間は、応用に応じて異なり、数ミリ秒から数秒の間であってよい。ｔ２〜ｔ１だけ時間をずらして、ポジションＢの第二の光源が、ここでは光ファイバー２のもう一方の側で、上げ調光される。
【００３０】
光ファイバーは、光ファイバー全体で最大限に照明した場合、可能な限り均一な輝度を示すように設計されている。しかし２つの光源の調光フェーズの間に、照明ロッド又は光ファイバーは均一ではなく変化する輝度プロフィールを示し、調光フェーズの間に、ワイピング効果が（図１の構造１では左から右へ）知覚されるように設計されており、その場合このワイピング効果のためにオーバーラップ時間及び調光傾斜線を正しく選択することが重要である。
【００３１】
第一の光源の強度ＩＡが上述の下げ調整範囲で、すなわちｔ３からｔ４の範囲の時間で、例えば最大強度の約８０％まで、軽く下げられることによってワイピング効果が強化され得ることは、経験が示している。このような一定量の下げ調光はポジションＢの第二の光源の調光傾斜線の間だけでなくその後も行われてよい。
【００３２】
考えられる「ワイパー−フラッシャー」としての自動車における使用では、例えば橙色の光源を使って光ロッドの両側から供給する。次に第一の光源は約１００ミリ秒以内に上げ調光され、及びこの第一の光源の明度が最大に達する約１０〜２０％前に第二の光源で調光過程が行われ、その結果最大２００ミリ秒後に最大明度に到達される。
【００３３】
本発明の範囲では、使用される光源は決して白色光を発してはならず、又は単色であってはならず、むしろ可変の色を備えた光源（ＲＧＢ光源）を使用してもよい。その場合可能である。例えば第一のポジションＡでは、数秒間かかって赤から緑へ色の移行が生じさせられる。第二のポジションにおける時間をずらした色移行により、観察者は光ファイバーの一方の側から他方の側へ色が流れたかのような印象を受ける。
【００３４】
別の一実施例では、考えられる調光曲線が、図７に、図６と同様に理解できる２つの図が示される。ポジションＡの第一の光源の強度ＩＡは、時点ｔ０で任意に定義可能な特定の最大値から出発することができる。時点ｔ１で、下降調光傾斜線によって下方調光が開始され、その際にこの傾斜線はここでは例として直線で示されているが、ここに記述されている調光傾斜線全体では対数曲線、指数曲線、二次曲線、又は他の曲線であってもよく、その場合強度は時点ｔ２で最小値まで低下し、やはり自由に選択可能な例えば最大強度の０％又は１０％に保たれる。ここでは、下降傾斜がすでに時点ｔ０で開始可能であり、すなわち均一な強度値が、ｔ０からｔ１へジャンプ可能であることが示される。時点ｔ３では、ポジションＡの光源は、ここでもやはり直線で示される上昇調光傾斜線に従って制御されるが、この調光傾斜線は他の曲線形状であってもよい。この上昇調光の調光傾斜線は最小値に達した直後から下降調光の足部で開始可能であり、すなわちｔ２からｔ３までの期間ジャンプ可能である。上昇調光傾斜線の終わり、時点ｔ４で、ポジションＡの光源が再び最大明度に達する。
【００３５】
ポジションＢの第二の光源の強度変化を見ると、第二の光源が、時間的な明度変化がポジションＡの第一の光源に対して正反対であるように制御されていることが見て取れる。ここでも、先に図６に説明された変形例に対応して、時間遅延が調光傾斜線開始時に行われ、及び同様に２つの光源で異なった最小値及び最大値があらかじめ設定されていることが可能である。この種類の制御は、色の異なる光源で有意義となる。なぜならそれによって時点ｔ２で照明ロッドが白色のみに輝くまで、ポジションＡの光（例えば青色）がポジションＢの光（例えば白色）によりゆっくり押し戻される効果が生じるからである。
【００３６】
図８に示された、ポジションＡ及びＢの第二の光源の調光曲線は、２つの光源の時間をずらした下方調光を示している。これは観察者に、光が光ファイバーから流れ出すような印象を呼び起こす。ポジションＡの第一の光源は、この光源がある時点ｔ０から別の時点ｔ１まで、一定の強度で発光し、光源が、時間ｔ１から始まり時点ｔ３まで、下降調光曲線に従って下方調光されるように制御される。
【００３７】
ポジションＢの第二の光源は、同様に発光を最初は時間ｔ０から、一定の強度でｔ１の時間を超えて、時間ｔ２まで一定に保たれる。時点ｔ２で初めて、ポジションＢの第二の光源も、最小値まで又は０まで、下降の調光曲線に従って下方調光される。この調光曲線は、第一の光源の下降調光曲線よりも急勾配である。なぜなら下方調光のために使える時間が短いからである。
【００３８】
図９では、移動する光の他の効果を生じる、本発明による方法の別の一変形例が説明されている。時点ｔ０と時点ｔ１の間で、ポジションＡ及びＢの２つの光源がオフにされる。時点ｔ１で、第一の上昇調光傾斜線に沿ってポジションＡの光源の上方調光が開始され、時点ｔ３まで、最大強度値が達成される。ここから下降する調光傾斜線により０まで、又は最小値まで、時点ｔ５まで進むために、ポジションＡの光源の強度は、時点ｔ４まで一定である。
【００３９】
これに対してポジションＢの光源の上方調光は、第一の光源の上昇調光傾斜線にある時点ｔ２で初めて開始される。ポジションＢの第二の光源の上昇する調光傾斜線は、時点ｔ４で達成される最大値まで進み、時点ｔ６までこの最大値に保たれる。ここで下降する調光傾斜線に従い、制御回路９側の制御に応じて強度が、最小値又は値０まで、時点ｔ７まで低下する。ポジションＡの第一の光源の上方調光が緩慢であるため、照明ロッド又は光ファイバーの端部に向かって暗くなる印象が生じる。上方調光が減速することで、ポジションＢの第二の光源がまだ暗い範囲を明るくし、２つの光源が最大値まで上方調光される。その際に横切る効果を生じさせるため、オフ過程中にまず光源１が下方調光されなければならない。
【００４０】
図１０では、本発明による方法を実施するために適切な制御回路が原理的に説明されており、この制御回路９は、ここでは光源の明度をあらかじめ設定可能な調光曲線時間に応じて制御するために配設されている。図１０には、制御回路９のために重要な関数がブロック図で示されている。パルス発生器１５はあらかじめ定められた持続時間の基本パルスを生成する役割を果たし、ここでは制御パルス又はトリガーパルスとして働く基本パルスが、周期的に、固定された時間的順序で、又は突発的により長い休止を伴って生成され得る。
【００４１】
パルス発生器１５の出力は、上昇及び下降調光傾斜線によって第一の制御パルスを生成するために第一のパルス整形器１６へ、及び基本パルスの上昇遅延及び／又は下降遅延を形成するために遅延段階１７へ、供給される。遅延段階１７で形成された、上昇プロファイル又は下降プロファイルを備えたパルスは、相応して遅延する上昇及び下降調光傾斜線によって第二の制御パルスを生成するために第二のパルス整形器１８に送られる。その際遅延段階は、照明ロッドの長さに合わせた、又は所望の効果に適合した時間、第二のパルス整形器１８を制御する。遅延段階１７は、ワイピング効果を所望の方向に実現するために、オフ時点でも時差を継承する。第一の及び第二のパルス整形器１６、１８の出力は、第一の又は第二の光源３、４のために、それぞれ少なくとも１つの制御段階及びドライバ段階１９又は２０に送られる。パルス整形器１６及び１８で形成された調光傾斜線は、一方で人間の眼に、他方で自由に選択可能な照明ロッドの形に適合される。調光傾斜線はそれぞれ形状、人間の眼の感度及び所望の効果（ワイピング又はカラーシフト）にパラメータ化され、及び調光傾斜線は一般に数学的関数には従わず、すでに上述されたように、例えば１つ又は複数のジャンプ箇所を含んでいてもよい、複数の連続的及び／又は組み合わせた数学的関数のような、任意の関数に従う。
【００４２】
上昇アルゴリズム及び下降アルゴリズムは、ワイピング効果を最適化するために、異なって実施される。各パルス整形器は、１つ又は複数の制御段階及びドライバ段階１９、２０を制御できる。特に色混合の応用では、複数のパルス整形器及び制御段階及びドライバ段階も必要になる。図では、複数のパルス整形器１６及び１８、複数の制御段階及びドライバ段階１９、２０、及び複数の第一の又は第二の光源３、４の使用可能性が線で示されている。同様に、全体構造の説明のために２つの光供給ポジションＡ又はＢを備えた光ファイバー２が描かれている。
【００４３】
図１１は本発明の実施形態を示しており、これを使って同じくランニングライト効果が生成され、その光ファイバー構造１が２つ以上の、示された例では５つの光ファイバー２１ａ〜２１ｅから構成されており、供給端部にはそれぞれ１つの光源２２ａ〜２２ｅが備えられ及びそれによって５つの光供給ポジションＡ〜Ｅが存在している。
【００４４】
各光ファイバー２１ａ〜２１ｅは、光源２２ａ〜２２ｅから出ており、ここでは実質的に同じ光ファイバーセクション２３ａ〜２３ｅから伸び、アングル部２４ａ〜２４ｅを通って本来の照明セクション２５ａ〜２５ｅに移行し、この照明セクションは上述の光ファイバーと同様に、光放射を矢印Ｖで示された所望の方向に送る干渉箇所構造を有している。
【００４５】
示された例では５つの照明セクション２５ａ〜２５ｅが実質的に隙間なく互いに接続されており、その結果前から見て、連続した、ベルト形状の照明構造という印象が与えられる。用語「前」は、もちろん単に光放射方向に基づいてであり、車両又はその走行方向とはまったく無関係である。
【００４６】
個々の光源の制御は、上述の方法及びその変形例の意味において調光され及び時間がずらされ、制御回路９によって行われ、所望のランニングライト効果が、例えば矢印Ｌの方向に達成される。当業者は、５つの光源２２ａ〜２２ｅの正確な制御、及び制御回路９と同様の制御回路の接続を、示された実施例の知識に基づいて問題なく実行することができ、その際当業者は制御傾斜の形状、時間的経過の形状及び色効果に関して、大きな自由を持っている。
【図１】
0006051367.tif 000002
【図２】
0006051367.tif 000003
【図３】
0006051367.tif 000004
【図４】
0006051367.tif 000005
【図５】
0006051367.tif 000006
【図６Ａ】
0006051367.tif 000007
【図６Ｂ】
0006051367.tif 000008
【図７Ａ】
0006051367.tif 000009
【図７Ｂ】
0006051367.tif 000010
【図８Ａ】
0006051367.tif 000011
【図８Ｂ】
0006051367.tif 000012
【図９Ａ】
0006051367.tif 000013
【図９Ｂ】
0006051367.tif 000014
【図１０】
0006051367.tif 000015
【図１１】
0006051367.tif 000016